(57)【要約】【課題】オペレータからの日付入力無しに様々なタイプの帳票を自動的に作成するプラントデータ管理装置を提供する。【解決手段】本実施形態に係るプラントデータ管理装置は、プラントの状態を示すプラントデータを収録するプラントデータ収録部０１４と、帳票を作成する条件を設定する帳票条件設定部０１５と、前記プラントデータ収録部０１４が収録している前記プラントデータを参照して、前記帳票条件設定部０１５で設定された前記条件に合致しているかを判断する判断部（プラント状態監視部０１７）と、前記条件に合致していると判断された場合に、前記帳票を自動的に作成する帳票作成部０１９と、前記作成された帳票を出力する帳票出力部０２１と、を備える。【選択図】図１
2014089569.tif 000002
【特許請求の範囲】
【請求項１】
プラントの状態を示すプラントデータを収録するプラントデータ収録部と、
帳票を作成する条件を設定する帳票条件設定部と、
前記プラントデータ収録部が収録している前記プラントデータを参照して、前記帳票条件設定部で設定された前記条件に合致しているかを判断する判断部と、
前記条件に合致していると判断された場合に、前記帳票を自動的に作成する帳票作成部と、
前記作成された帳票を出力する帳票出力部と、
を備えるプラントデータ管理装置。
【請求項２】
前記帳票条件設定部は、少なくとも前記プラントの状態、プラントの定期点検時期、プラントに設置された機器の補修時期、プラントの運転モード、のいずれかを基準とする所定の条件を、前記帳票を作成する条件として設定することを特徴とする、
請求項１に記載のプラントデータ管理装置。
【請求項３】
プラントのプロセス値を入力するプロセス値入力部と、
前記プラントの運転予定又は運転実績に関する運転情報を入力する運転情報入力部と、
前記プラントに設置された機器の補修状況に関する設備情報を入力する設備情報入力部と、
を更に備え、
前記プラントデータ収録部は、前記入力されたプロセス値、運転情報、及び設備情報を前記プラントデータとして所定のフォーマットに従って収録する、
請求項１又は２に記載のプラントデータ管理装置。
【請求項４】
前記帳票条件設定部は、
帳票を作成する条件を指定する条件指定画面を表示装置に表示させる条件指定画面表示部を備え、
前記条件指定画面を介して指定された前記条件を、前記帳票を作成する条件として記憶する帳票条件記憶部を更に備えることを特徴とする、
請求項１乃至３のいずれか１項に記載のプラントデータ管理装置。
【請求項５】
前記条件指定画面表示部は、少なくとも帳票の作成が可能な期間に関する条件を指定する第１条件指定画面と、少なくとも前記帳票のデータ期間の終了条件を指定する第２条件指定画面とを、前記表示装置に表示させ、
前記判断部は、現在の状況が前記第１条件指定画面を介して指定された前記帳票の作成が可能な期間に関する条件を満たしているかの第１判断処理と、前記現在の状況が前記第２条件指定画面を介して指定された前記データ期間の終了条件を満たしているかの第２判断処理を行い、
前記帳票作成部は、前記第１判断処理と第２判断処理において現在の状況が各条件を満たしていると判断された場合に、前記データ期間の帳票を自動的に作成することを特徴とする、
請求項４に記載のプラントデータ管理装置。
【請求項６】
前記帳票作成部で作成された前記帳票を自動的に保存する自動保存部と、
自動的に保存した帳票を記憶しておく帳票記憶部と、
を更に備えることを特徴とする、
請求項１乃至５のいずれか１項に記載のプラントデータ管理装置。
【請求項７】
前記帳票作成部で作成された前記帳票のファイル形式を、前記帳票の情報の改ざんがより困難であるファイル形式に変換する改ざん防止変換部を更に備えることを特徴とする、
請求項１乃至６のいずれか１項に記載のプラントデータ管理装置。
【請求項８】
所内またはネットワーク上の関係者に前記帳票の情報を配信する帳票配信部と、
前記帳票の情報を受信して前記帳票の情報を表示する表示装置と、
を更に備えることを特徴とする、
請求項１乃至７のいずれか１項に記載のプラントデータ管理装置。
【請求項９】
前記帳票作成部で自動的に帳票が作成された際に、オペレータに対して帳票確認やデータ確認の指示を出すガイダンス表示部を更に備えることを特徴とする、
請求項１乃至８のいずれか１項に記載のプラントデータ管理装置。
【請求項１０】
グラフ表示、系統図表示、傾向監視の少なくとも１つを帳票と同様にデータ表示するプラントデータ表示部を更に備えることを特徴とする、
請求項１乃至９のいずれか１項に記載のプラントデータ管理装置。
【請求項１１】
帳票を作成する条件を設定する帳票条件設定ステップと、
プラントの状態を示すプラントデータを収録するプラントデータ収録ステップと、
前記プラントデータ収録ステップで収録されている前記プラントデータを参照して、前記帳票条件設定ステップで設定された前記条件に合致しているかを判断する判断ステップと、
前記条件に合致していると判断された場合に、前記帳票を自動的に作成する帳票作成ステップと、
前記作成された帳票を出力する帳票出力ステップと、
を有するプラントデータ管理方法。
【発明の詳細な説明】
【技術分野】
【０００１】
本発明の実施形態は、プラントデータ管理装置及びプラントデータ管理方法に関する。
【背景技術】
【０００２】
一般に、プラントで取得されるプラントデータを管理するプラントデータ管理装置において、プラントデータを元に帳票を作成する場合は、帳票データの日付時刻を指定して帳票を出力する。このようなプラントデータ管理装置は、プラントデータ記憶手段とそこからデータを抽出するデータ検索手段とから構成される。当該プラントデータ管理装置は、出力したい日付時刻を入力装置から入力することにより、該当するプラントデータを抽出し、帳票フォーマットにデータを貼り付けることで帳票を作成する。（例えば特許文献１参照）。
【先行技術文献】
【特許文献】
【０００３】
【特許文献１】特許第３４３２３５２号公報
【特許文献２】特開２０１２−０１４６８６号公報
【特許文献３】特許第４６６３５２６号公報
【特許文献４】特開平０６−１１０９１０号公報
【発明の概要】
【発明が解決しようとする課題】
【０００４】
上述のように、背景技術に係るプラントデータ管理装置においては、出力したい帳票の日付日時を指定する必要がある。単純な日報などの帳票を出力するための日付指定であれば、当該日を入力することで指定できるため、それ程煩わしくない。しかしながら、特定の条件時の帳票を出力したいとなると、特定条件時の日付時刻を調べて入力しなければならない。緊急を要するデータ確認や、早急に帳票を提出する必要がある場合などでは、日付時刻を調べる作業が煩わしく、操作の手間となってしまう。
【０００５】
例えば、図２６に示す帳票は、プラントが定格状態に達してから１時間後のデータを採取する必要がある場合に作成される帳票の一例である。このような帳票を作成する場合、オペレータは何らかの機能でその条件に合致したのが何時何分かを調べる必要があり、調べた結果の日付時刻を帳票出力要求の日付時刻として入力し、帳票作成を要求する必要がある。
【０００６】
更に、その特定の条件時のプラントデータの出力を忘れ、プラントデータの記憶期間を過ぎてしまった場合には、プラントデータが既に無くなっているため帳票を作成してプラント状態を確認するなどの業務ができなくなってしまう。
【０００７】
プラントの運転においては膨大な帳票が運用・管理されており、それらの帳票を印字する際に、都度時刻やプラント条件を確認し、調査するのは非常に煩雑であり、オペレータの負担が多いものとなっている。この様な特定条件の日付時刻を調べて入力する操作を簡略化し、帳票の作成が遅れたり喪失したりすることが無いようにすることが課題であった。
【０００８】
本発明の実施形態は上述した課題を解決するためになされたものであり、オペレータの煩わしい日付日時の入力を無くし、自動的に帳票を作成することが可能なプラントデータ管理装置を提供することを目的とする。
【課題を解決するための手段】
【０００９】
本発明の実施形態に係るプラントデータ管理装置は、次の構成を有する。
（１）プラントの状態を示すプラントデータを収録するプラントデータ収録部、
（２）帳票を作成する条件を設定する帳票条件設定部、
（３）前記プラントデータ収録部が収録している前記プラントデータを参照して、前記帳票条件設定部で設定された前記条件に合致しているかを判断する判断部、
（４）前記条件に合致していると判断された場合に、前記帳票を自動的に作成する帳票作成部、
（５）前記作成された帳票を出力する帳票出力部。
【００１０】
また、本発明の実施形態に係るプラントデータ管理方法は、次の構成を有する。
（１）帳票を作成する条件を設定する帳票条件設定ステップ、
（２）プラントの状態を示すプラントデータを収録するプラントデータ収録ステップ、
（３）前記プラントデータ収録ステップで収録されている前記プラントデータを参照して、前記帳票条件設定ステップで設定された前記条件に合致しているかを判断する判断ステップ、
（４）前記条件に合致していると判断された場合に、前記帳票を自動的に作成する帳票作成ステップ、
（５）前記作成された帳票を出力する帳票出力ステップ。
【図面の簡単な説明】
【００１１】
【図１】第１実施形態の構成を示すブロック図。
【図２】プロセス値の収録フォーマットの一例を示す図。
【図３】運転情報の収録フォーマットの一例を示す図。
【図４】設備情報の収録フォーマットの一例を示す図。
【図５】帳票作成部０１９で作成される帳票の一例を示す図。
【図６】帳票情報記憶部０１８に記憶される固定情報の一例を示す図。
【図７】帳票情報記憶部０１８に記憶される可変情報の一例を示す図。
【図８】帳票情報記憶部０１８に記憶される帳票登録情報の一例を示す図。
【図９】帳票条件設定部０１５における帳票データ期間の指定画面の一例を示す図。
【図１０】業務期間を説明する図。
【図１１】帳票条件設定部０１５における前条件の指定画面の一例を示す図。
【図１２】帳票条件設定部０１５における帳票データ期間の指定画面の一例を示す図。
【図１３】帳票条件設定部０１５におけるプラント条件を指定するための詳細画面の図。
【図１４】帳票条件記憶部０１６に記憶される帳票作成条件の記憶形式の一例を示す図。
【図１５】プラント状態監視部０１７における帳票作成の実行タイミングを説明する図。
【図１６】プラント状態監視部０１７における処理の流れを示すフローチャート図。
【図１７】自動作成される帳票の一例を示す図。
【図１８】自動作成される帳票の一例を示す図。
【図１９】自動作成される帳票の一例を示す図。
【図２０】自動作成される帳票の一例を示す図。
【図２１】第２実施形態の構成を示すブロック図。
【図２２】第３実施形態の構成を示すブロック図。
【図２３】第４実施形態の構成を示すブロック図。
【図２４】第５実施形態の構成を示すブロック図。
【図２５】第６実施形態の構成を示すブロック図。
【図２６】従来のプラントデータ管理装置の帳票例を示す図。
【発明を実施するための形態】
【００１２】
以下、本発明の実施形態について、図面を参照して説明する。なお、以下の各実施形態における説明において、同一の符号が付されている部分は、実質的に同一の機能を有しており、重複部分については適宜説明が省略されている。
【００１３】
[第１実施形態]
（第１実施形態の構成）
図１は、第１実施形態の構成を示すブロック図である。第１実施形態に係るプラントデータ管理装置１００は、プロセス値入力部０１１、運転情報入力部０１２、設備情報入力部０１３、プラントデータ収録部０１４、帳票条件設定部０１５、帳票条件記憶部０１６、プラント状態監視部０１７、帳票情報記憶部０１８、帳票作成部０１９、帳票作成要求入力部０２０、及び帳票出力部０２１を備え、プリンタや表示装置、入力装置などの外部装置に接続されている。なお、以下の説明では、これらの外部装置を纏めて入出力装置２００と称する。
【００１４】
プロセス値入力部０１１は、プラントに設置されたセンサや装置で取得されるプロセス値（プロセスデータ）を入力する。プロセス値入出力部０１１は、プラントのプロセス値を各種センサから入力し、各種装置からは伝送データで入力する。
【００１５】
運転情報入力部０１２は、プラントの運転予定又は運転実績に関する運転情報を入力する。運転情報としては、例えば、プラントの定期点検（定期検査）をいつからいつまで実施すると言った予定などのように、プラントの定期点検の実施を予定する期間に関する情報やプラントの定期点検を実施した期間に関する情報が含まれる。
【００１６】
設備情報入力部０１３は、プラントに設置された機器の補修状況に関する設備情報を入力する。設備情報としては、例えば、ポンプや弁などの機器を何時交換したかなどの情報のように、プラントに設置された機器の修理時期又は交換時期に関する情報が含まれる。
【００１７】
プラントデータ収録部０１４は、これらの入力部で入力された情報を収録して記憶していく。ここで、プラントデータ収録部０１４は、各入力部よりそれぞれ入力されたプロセス値、運転情報、及び設備情報をプラントデータとしてそれぞれ所定のフォーマットに従って収録する。以下の説明では、当該プラントデータ収録部０１４が収録しているプラントデータを収録データと称することがある。
【００１８】
帳票条件設定部０１５は、帳票作成部０１９で帳票を作成する条件を設定する、すなわち、帳票作成部０１９の帳票時刻をどの様な条件で実行するかを定義する。ここで、帳票条件設定部０１５は、少なくとも、プラントの状態、前記プラントの定期点検時期、前記プラントに設置された機器の補修時期、プラントの運転モード、のいずれかを基準とする所定の条件を、帳票を作成する条件として設定することを特徴とする。
【００１９】
帳票条件設定部０１５は、オペレータより指定された条件に従って、帳票作成条件を設定する。帳票条件設定部０１５は、より具体的には、条件指定画面表示部０１５ａと、帳票条件定義部０１５ｂとを有する。
【００２０】
条件指定画面表示部０１５ａは、帳票を作成する条件を指定する条件指定画面を入出力装置２００の表示装置に表示させる。条件指定画面は、帳票の作成を要求するために、作成する帳票に関する各種条件をオペレータが入力するための対話画面である。条件指定画面表示部０１５ａは、条件指定画面を構成する画面データを表示装置に出力し、表示装置に当該条件指定画面を表示させる。
【００２１】
条件指定画面表示部０１５ａは、少なくとも帳票を作成するタイミング（以下、帳票作成タイミングと称する。）又は帳票の作成が可能な期間（以下、帳票作成期間と称する。）を指定する第１条件指定画面と、作成する帳票のデータ期間（以下、帳票データ期間と称する。）を指定する第２条件指定画面を、前記表示装置に表示させる。なお、第１条件指定画面と第２条件指定画面は、同一の画面上の異なる領域にそれぞれ配置される構成としても良い。
【００２２】
第１条件指定画面は、帳票作成タイミングであるかどうかの判断を行う前提となる情報を指定するための画面であり、以下の説明では「前条件指定画面」と称する。また、「前条件指定画面」を介して前条件を指定することを「前条件指定」と称する。一方、第２条件指定画面は、作成する帳票のデータ期間を指定するための画面であり、以下の説明では「帳票期間指定画面」と称する。また、「帳票期間指定画面」を介して帳票データ期間を指定することを「帳票期間指定」と称する。「帳票期間指定」で指定された帳票データ期間が終了した時点で、帳票に含めるデータの収録がプラントデータ収録部０１４で完了するため、通常は、当該帳票データ期間の終了時刻が帳票作成タイミングとなる。
【００２３】
ここで、「前条件指定画面」及び「帳票期間指定画面」は、プラントのプロセス値で示されるプラント状態などを基準として、帳票作成期間や帳票作成タイミング、帳票データ期間を指定することが可能なように構成されている。すなわち、帳票作成期間や帳票作成タイミング、帳票データ期間は、固定されておらず、プラント状態等に基づいて変動する。これらの条件指定画面の詳細については後述する。
【００２４】
帳票条件定義部０１５ｂは、条件指定画面表示部０１５ａが表示装置に表示させる条件指定画面を介して指定される各種条件を、帳票作成条件として定義することで、帳票を作成する条件を設定する。帳票条件定義部０１５ｂで定義され、設定されたこれらの条件に関する情報は帳票条件記憶部０１６に送られる。
【００２５】
帳票条件記憶部０１６は、帳票条件設定部０１５で設定された帳票を作成する条件、すなわち、帳票作成部０１９がどの様な条件で帳票作成を実行するかを定義した帳票作成条件を記憶する。
【００２６】
プラント状態監視部０１７は、プラントデータ収録部０１４が収録して記憶しているプラントデータを参照し、帳票条件設定部０１５で設定された帳票を作成する条件を満たしているかを判断する。より具体的には、プラント状態監視部０１７は、プラントデータ収録部０１４が収録するプラントデータを監視している。プラントデータ収録部０１４で新たなプラントデータが収録された場合、プラント状態監視部０１７は、プラントデータ収録部０１４から最新のプラントデータを入力し、帳票条件記憶部０１６で記憶されている帳票作成の実行条件の定義と比較することで、帳票作成条件に合致した状態かを判断する。プラント状態監視部０１７は、帳票作成条件に合致していれば自動的に帳票の作成を帳票作成部０１９に要求する。なお、プラント状態監視部０１７は、帳票作成部０１９に帳票の自動作成を実行させるかどうかを判断する部分であるため、以下の説明では帳票自動作成判断部と称することがある。
【００２７】
帳票情報記憶部０１８は、プラントデータ収録部０１４が収録した収録情報であるプラントデータを入力してどの帳票に何のデータを割り付けるかを示した帳票情報を記憶する。帳票情報記憶部０１８は、帳票の固定フォーマット（固定情報）と、可変部である表示項目をそれぞれ帳票情報として別々に管理登録しておき、帳票作成部０１９が帳票の作成を実行する際に、要求されている帳票情報が読み出される。
【００２８】
帳票作成部０１９は、帳票情報記憶部０１８から情報を入力して帳票を作成する。帳票作成部０１９は、プラント状態監視部０１７からの帳票の自動作成の要求を受けた場合に、帳票情報記憶部０１８から帳票情報を入力して要求されている帳票を作成し、作成した帳票を帳票出力部０２１に送る。また、帳票作成部０１９は、帳票作成要求入力部０２０から帳票作成要求を受けた場合に、当該帳票作成要求で指定されているデータ期間の帳票を作成し、帳票出力部０２１に送る。
【００２９】
帳票作成要求入力部０２０は、オペレータが帳票を要求する日時を指定して入出力装置２００から行う帳票作成要求を入力し、当該入力した帳票作成要求を帳票作成部０１９に送る。
【００３０】
帳票出力部０２１は、帳票作成部０１９で作成されて送られてくる帳票を所定の出力形式で出力する。帳票出力部０２１から出力される帳票は、入出力装置２００の表示装置で表示されたり、プリンタより紙面に印刷されたりする。
【００３１】
このように、本実施形態のプラントデータ管理装置１００は、オペレータから日時を指定した上で入力される帳票作成要求に基づいて帳票を作成する場合とは別に、予め帳票作成条件を設定し、現在の状況が帳票作成条件に合致した場合に、自動的に帳票作成要求を発生させて帳票を作成する機能を有している。
【００３２】
（第１実施形態の作用）
このように構成された図１に示す本実施形態において、プラント運転状態を帳票に表示・印刷して管理するためには、プラントの運転状態や運転情報を十分に入力する必要がある。
【００３３】
プロセス値入力部０１１では、時々刻々と変化するプラント状態について、プラント各所に設置されたセンサから「温度」「圧力」「電圧」「電流」「回転数」などのプロセス値を受信する。通常のプラント監視装置では、これら「温度」「圧力」などのアナログ値以外にもアナログ値から計算された値も受信する。「温度」「圧力」から「流量」を計算したり、「熱量」を計算したりする。これらの計算結果は桁数が多いことからアナログ値と区別して倍精度係数のアナログ値として送られることが多い。また、プラント状態を表す状態値には接点もあり、各装置の「弁の開／閉」「開閉器の開／閉」「遮断器開／閉」「機器の運転中／停止中」「プラント運転状態ＯＮ／ＯＦＦ」などを接点状態として送信されてくる。
【００３４】
プロセス値入力部０１１は、これらのプロセス値を受信し、プラント状態を表す値としてプラントデータ収録部０１４に送る。プラントデータ収録部０１４は、プロセス値入力部０１１で受信されたプロセス値を、プラントデータとして所定のフォーマットで収録する。
【００３５】
図２は、プラントデータ収録部０１４で収録されるプロセス値の収録フォーマットの一例を表している。図２の収録フォーマットにおいて、後にデータの検索がし易いように、プラントデータ収録部０１４は、プロセス値入力部０１１より受け取ったプロセス値を時刻毎に纏めて時系列で管理する。また、アナログ・アナログ倍精度・接点の各種別に取り出しやすいように、プラントデータ収録部０１４は、ファイルを分けた状態でこれらのプロセス値を収録し、且つ、種別毎にポインタを設ける。当該収録フォーマットに従ってプロセス値を収録することで、後に高速で検索することが可能になる。例えば、プラント状態監視部０１７は、当該ポインタを利用して帳票作成条件に関連するプロセス値を監視し、帳票の自動作成を帳票作成部０１９に対して要求するかどうかの判断を行う。
【００３６】
プラントの運転状態を管理する情報としては、プロセス値入力部０１１にセンサなどから入力されるリアルタイムの状態値以外に、プラントの運転予定・実績を管理する運転情報がある。運転情報では、プラントの次回定期点検の「定検名称」「定検種別」「定検入り日時」「定検明け日時」などの情報を管理している。これらの情報は、センサから入力されるものではなく、プラントの保守員が補修計画を立案して決定するものである。
【００３７】
この運転情報をプラント保守員から入力し、補修計画システムから自動伝送して入力するのが運転情報入力部０１２である。運転情報入力部０１２は、運転情報を入力または受信してプラントデータ収録部０１４に送る。プラントデータ収録部０１４は、運転情報入力部０１２より受け取った運転情報を所定の収録フォーマットで収録する。
【００３８】
図３は、プラントデータ収録部０１４で収録される運転情報の収録フォーマットの一例を表している。プラントデータ収録部０１４は、後にデータの検索がし易い様に時系列に且つ表形式で収録する。プラントデータ収録部０１４は、運転情報入力部０１２より入力した運転情報について、実行される定期検査（定期点検）の名称である「定検名称」、当該定期検査の種別を表す「定検種別」、当該定期検査の対象となる機器を示す「対象機器」、及び当該定期検査が開始される日時と終了する日時をそれぞれ示す「定検入り日時」と「定検明け日時」の各情報を案件毎に時系列で且つ表形式で収録する。
【００３９】
プラントの運転状態を管理する他の情報としては、プラントに設置された機器の補修状況に関する設備情報がある。プラントには何千・何万もの「弁」「モータ」「交換器」などの各種機器が設置されており、設備情報では、これらの機器について「機器ＩＤ」「機器名称」「修理種別」「修理日時」「備考」などの情報を管理している。これらの設備を数年に１回は分解点検し、十数年に１回は部分交換・全交換を実施して健全な状態であることを確認し、補修していくことでプラント全体を健全に運転継続していくことができる。これらの情報も、センサから入力されるものではなく、プラントの保守員が補修計画を立案し実績を管理していくものである。
【００４０】
この設備情報をプラント保守員から入力し、設備補修システムから自動伝送して入力するのが設備情報入力部０１３である。設備情報入力部０１３は、設備情報を入力または受信してプラントデータ収録部０１４に送る。プラントデータ収録部０１４は、設備情報入力部０１３より受け取った設備情報を所定のフォーマットで収録する。
【００４１】
図４は、プラントデータ収録部０１４で収録される設備情報の収録フォーマットの一例を表している。後にデータの検索がし易い様に、プラントデータ収録部０１４は、時系列に且つ表形式で設備情報を収録する。プラントデータ収録部０１４は、機器を固有に識別する「機器ＩＤ」及び当該機器の名称である「機器名称」に対して、当該機器に行われた修理の種別を示す「修理種別」、当該修理が行われた日時を表す「修理日時」、及び当該修理の具体的修理内容や当該修理が行われた定検の名称など当該修理に関する追加情報である「備考」、の各情報をそれぞれ時系列で並べた状態で対応付けて設備情報を収録する。なお、設備情報に含まれる「修理種別」について、「０１」は「全交換」を、「０２」は「部分交換」を、「０３」は「部品交換」を、「０４」は「分解点検」を、「０５」は「外観点検」を、それぞれ示している。
【００４２】
このように、プロセス値入力部０１１より定常的にプラントの状態を表すプロセス値が入力され、運転情報入力部０１２及び設備情報入力部０１３より、定期点検が行われた時期などを表す運転情報と設備の補修状況などを表す設備情報がそれぞれ入力されることで、プラントデータが蓄積されていく。
【００４３】
プラント運転状態・運転情報・設備情報を十分に入力し収録したプラントデータから、帳票作成部０１９および帳票情報記憶部０１８は、帳票を表示・印刷して管理する。帳票作成部０１９は、帳票要求が出される都度、一から帳票を作成することはなく、表示するフォーマットや項目を予め登録して帳票情報記憶部０１８に記憶しておき、表示・印字する際にこれを指定して実行する方式が用いられる。帳票情報記憶部０１８に登録する際に、帳票の固定フォーマットと可変部である表示項目とを別々に管理登録しておき、帳票作成部０１９は、帳票作成を実行する際に、対応する固定フォーマットに表示項目を重ね合わせて帳票を作成する方式を用いて帳票を作成する。
【００４４】
一例を図５〜図８で示す。図５は、最終的に印字・表示する帳票の一例である「試運転記録」帳票を示している。帳票の枠線、帳票の上部のタイトルとしての見出し、その下方の計器番号などの情報は固定情報であり、いつ印刷しても固定の文字、罫線で印刷されるものである。帳票は、一般的にはスプレットシートと呼ばれる行と列で構成されるセルを組み合わせた表を用いている。図６は、図５の「試運転記録」帳票をスプレットシートに展開した状態を示している。即ち、セルＡ１、Ａ２、Ａ３・・・、Ｂ１、Ｂ２、Ｂ３・・・に表示する文字や罫線情報が展開され、帳票情報記憶部０１８は、それらを固定情報として記憶する。
【００４５】
図７は、可変部の情報（可変データ情報）を示している。図５の帳票下部の日時と数値データで示されている部分は、帳票要求時の各項目の値を示しており、帳票要求日時により変わる可変のデータである。可変部分を埋め込む「セル番号」や、プロセス値入力部０１１から入力してプラントデータ収録部０１４で収録されているポイントを表す「入力点」や、帳票作成日時に対して相対的な時刻を示す「開始日時」や、そのデータのサンプリング周期である「データ検索周期」及び、「セル番号」から何セル埋め込むかを示す「データ検索回数」などを定義する。ここでは、「データ検索周期」の単位は「分」である。
【００４６】
帳票作成部０１９は、前述の図６の固定情報と図７の可変データ情報を、帳票情報として帳票情報記憶部０１８に送り、帳票情報記憶部０１８は、受け取ったこれらの情報を帳票単位に登録し帳票情報として記憶する。
【００４７】
図８は、帳票情報記憶部０１８に登録されている帳票の一覧を示す帳票登録情報である。当該帳票登録情報には、各帳票の名前である「帳票名」、当該帳票の作成者を表す「作成者」、当該帳票の固定情報を記録したフォルダパスを表す「固定情報のフォルダパス」、当該固定情報のファイル名を表す「固定情報ファイル名」、当該帳票の可変情報のフォルダパスを表す「可変情報フォルダパス」、当該可変情報のファイル名を表す「可変情報ファイル名」、が登録されている帳票毎に一覧で管理されている。
【００４８】
ここで、日報などの一般的な帳票の作成処理の流れについて説明する。入出力装置２００より図９に示す様な対話画面を介して帳票のデータ日時をオペレータが入力することで、その日時内容を含む帳票作成要求が帳票作成要求入力部０２０に入力される。帳票作成要求入力部０２０が入力した帳票作成要求は帳票作成部０１９に送られ、帳票作成部０１９は、帳票情報記憶部０１８から当該要求されている帳票の固定情報と可変情報を帳票情報として取り込む。
【００４９】
帳票作成部０１９は、取り込んだ可変情報からプロセス値の情報を割り出し、プラントデータ収録部０１４から収録データを取り込み、スプレットシートに重ね合わせて帳票を作成する。帳票出力部０２１は、帳票作成部０１９で作成された図５に例示したような帳票のデータを帳票出力部０２１に送り、帳票出力部０２１は、当該帳票データを入出力装置２００に出力する。当該帳票データを受信した入出力装置２００の表示装置において帳票が表示されるか、又はプリンタにおいて印刷される。
【００５０】
一般的に帳票の作成時は、上述した方法にて作成される。即ち、帳票の表示要求として帳票要求日時の情報がオペレータから入力され、帳票作成部０１９は、その情報に従ってプラントデータ収録部０１４から収録データを取り込み、帳票を作成する。この場合、要求は必ずオペレータが起点となっている。帳票を作成するために要求日時を入力する必要があり、自動で帳票作成を行うことができない。「日報」「月報」の様に、単純に１日毎、１ヶ月毎に作成する場合は帳票の要求日時が明確にわかっていることから、帳票要求日時の情報を自動で作成することは可能であるが、プラントの状況や運転状態で変わる帳票の場合は、時刻を一定に特定することはできず、要求日時を入力することで自動的に帳票を作成する事はできない。
【００５１】
例えば、図５に示した「試運転記録」帳票は、プラントの定期点検時の試運転の状態を記録する帳票である。試運転で問題無い事を証明するためにプラントが定格運転で連続して運転している状態のデータを帳票として作成し、基準値と比較して問題無いことを証明する為の帳票である。この様な帳票は、試運転において定格運転になる時刻を予め確定できないために、要求日時を直接入力する方法からは自動で作成することができず、常にオペレータが該当する帳票の時刻を割り出し、当該の条件に達するまで待つなどの作業が必要となり、帳票の時刻を割り出した後に帳票要求日時を入力して帳票作成を要求する必要がある。これを解決するために、プラントデータ管理装置１００は、帳票条件設定部０１５、帳票条件記憶部０１６、プラント状態監視部０１７を設けており、その作用を説明する。
【００５２】
各帳票には、帳票を作成する条件や状況がある。図５に示す「試運転記録」帳票は、上述したように定期点検後の試運転時に作成する帳票である。図１０は、このことを、プラントの運転モードとの関係で時系列に表した図である。プラントは、定期点検の期間以外は通常運転状態である。発電プラントの場合、通常運転期間中は中央給電指令所からの発電指令に従って発電している。定期点検期間に入ると各主要機器を分解し点検し、必要な部品の交換をして補修を行う。補修作業が終えると分解した機器をすべて組み立て試運転を行う。試運転は定期点検の終了予定の半月〜１ヶ月程前から始まる。
【００５３】
図５に示す「試運転記録」はこの試運転期間で且つ試運転で定格運転し、連続して定格運転する負荷安定状態のデータを記録するものである。図５に示す「試運転記録」帳票や、その他プラント運転管理に必要な帳票は、時刻以外に定期点検の時期、機器の補修時期、プラントの運転モードや、プラントの状態、などさまざまな条件を基に作成する必要がある。
【００５４】
プラント条件により帳票を作成する場合は、図１０に示した様にプラント運転モードや、作成期間などの前条件を定義する必要がある。例えば、図５に示す「試運転記録」帳票の場合、「プラントが定格運転をしている状態」と「プラントが定格運転を連続して同一運転状態」は、通常運転期間にも無数に存在するが、「定期点検後の試運転期間中であること」が前提であり、この様な帳票作成の前条件を定義できる必要が有る。帳票条件設定部０１５は、これら各帳票の前条件や作成条件を定義できるようにしたものである。
【００５５】
帳票作成部０１９は、帳票情報を帳票情報記憶部０１８に送り、帳票の固定情報・可変情報を記憶するが、これに合わせて条件定義要求を帳票条件設定部０１５に送り、帳票の作成条件を定義する様に要求する。
【００５６】
帳票条件設定部０１５は、前条件の定義と、作成条件の定義を行う為、条件指定画面の表示の指示を入出力装置２００に送り、オペレータから当該条件指定画面を介して入力された入力情報を条件入力として受け取る。条件指定画面の表示指示に基づいて入出力装置２００で表示される対話画面である条件指定画面の一例を図１１及び図１２に示す。
【００５７】
図１１は、帳票作成条件の一つである前条件を定義するための条件指定画面である「前条件指定画面」の一例である。当該前条件に関する条件指定画面において、「開始」〜「終了」までで指定された期間内が、当該帳票を作成することが可能なタイミングである事を示す。この帳票作成期間の指定には、「時刻指定」のみでなく、「プラント条件指定」ができる様に構成されている。更に帳票管理に用いられる条件を「付加条件」として指定できる様に構成されている。また、「実行回数指定」を指定することができる様に構成されている。
【００５８】
「時刻指定」について説明する。「時刻指定」では、時刻の指定種別として「日次」、「月次」、「年次」、「定検指定」、「設備指定」、のいずれかを指定できるよう構成されている。ここで、「定検指定」と「設備指定」では、いつの定期検査、設備補修を基点とするかを指定できるよう構成されている。また、各種別について、基点となるタイミングからずれた時間を指定するために基点に対する相対時刻を入力可能なように構成されている。
【００５９】
この「時刻指定」は、定期的に同一日時に作成する帳票の場合などに指定する。日報や月報などは、時刻だけが条件となることから、時刻指定のみで十分である。即ち、日報であれば「日次」を指定し、基点である「本日の０時０分」から相対で何時間後に帳票を作成するかを指定すれば良い。例えば、午前２時半に昨日の日報を作成する場合は、開始時刻について、「日次」を指定し「＋」「２時」「３０分」を指定し、同様に終了時刻について「日次」「＋」「３時」「００分」を指定することで、午前２時半〜３時までの間に昨日の日報を作成する事となる。
【００６０】
前条件に関する条件指定画面では、通常の「時刻指定」の他に「定検指定」を行うことができる。これは、次回の定期点検中や定期点検明けに作成する帳票などの場合に指定する。定期点検の予定日時はプラントの状態や電力需給状況などにより変わる場合が多い事から、絶対日時でなく「次回」定検や「前回定検」を指定できる様になっている。これにより、図１０で説明した「試運転記録帳票」の場合でも、「開始」条件を「定検指定」「＋」「１」（次回定検）「−」「１」ヶ月とし、「終了」条件を「定検指定」「＋」「１」（次回定検）「＋」「０」ヶ月と指定することにより、次回の定検完了の１ヶ月前〜定検完了までの期間を前条件に指定することができる。この様に、単純な日時の指定だけで無く、定検と連動した条件指定、設備の点検と連動した条件指定をすることができ、逐一オペレータが時刻を割り出し、次期が到来するのを人間系で管理する必要がなくなる。
【００６１】
「プラント条件指定」について説明する。帳票の中には特定のプラント運転中の場合にのみデータを採取して帳票作成する場合がある。この場合には「時刻指定」はできないので「プラント条件指定」ができる様にしたものである。この「プラント条件指定」に関する条件指定画面の詳細を図１３に示す。プラントの状態、即ちプロセス値入力部０１１から入力されるプラントのプロセス値のＰＩＤ或いはＴａｇを指定しＡＮＤ／ＯＲ条件を指定することができる。
【００６２】
ＰＩＤとは、プラントのセンサ等によって検出されるプロセス値毎に独自に割り当てられるポイント識別番号である。例えば、「プラント条件指定」の「開始」条件に、並列の接点ＰＩＤが「１」と、復水ポンプ起動ＰＩＤが「１」をＡＮＤ指定することにより、並列中の復水ポンプが起動している際の条件を指定することができる。「終了」条件に前記の不成立の条件を指定するか、「開始条件連動」指定で「開始条件不成立時」を指定することにより、プラント条件を柔軟に設定することができる。
【００６３】
このように、帳票条件設定部０１５は、特定のプラント状態になることを帳票自動作成の条件として設定することができ、プラント状態監視部０１７は、そのようなプラント条件を満たしたかどうかを、プラントデータを参照して判断することができる。
【００６４】
「付加条件」について説明する。条件指定画面で指定可能な「付加条件」では、帳票管理に良く用いられる条件を指定することができる様になっている。このような条件としては、例えば「特定時間帯のみ実行」、「条件成立後一定時間経過時後」、「条件成立後の次の正時」について指定できるよう構成されている。
【００６５】
「付加条件」における「特定時間帯のみ実行」を指定することで、電力需給のチェックが必要な日中の時間帯のみ指定するといったことが可能になる。また、「条件成立後一定時間経過時後」の指定により、対象の機器が運転してから安定した頃を見計らって帳票を作成することが可能である。「条件成立後の次の正時」指定により、正時から正時管理の帳票を作成することができる。
【００６６】
前条件指定に関する条件指定画面の最下段には、「実行回数指定」が行えるよう構成されている。これは、「開始」〜「終了」間で何回帳票を作成するかを定義するものである。日報の様に１日１回作成する場合は「１」を指定する事となる。特定の条件下で複数回実行する場合は「ｎ」回を指定することにより複数回帳票の作成が可能である。
【００６７】
以上説明した様に、帳票条件設定部０１５では、図１１に例示した「前条件指定」の条件指定画面を介して帳票を作成する時期やタイミングを指定し、定義することができる様に構成されている。
【００６８】
「前条件指定」では、帳票条件設定部０１５は、帳票作成期間の「開始時点」と「終了時点」を設定することで帳票の作成が可能なタイミングの期間を前条件として設定する。ここで、これらの２時点の設定方法としては、大きく分けて、日時で指定する方法とプラント条件で指定する方法がある。
【００６９】
日時を指定する方法を利用する場合、帳票条件設定部０１５は、日時を直接指定する、定期点検時期を基準とする相対的な日時を指定する、設備点検時期を基準とする相対的な日時を指定する、と言った指定方法の中から、前条件指定画面を介して指定された方法と内容に基づいて、帳票作成期間の「開始時点」と「終了時点」を設定する。
【００７０】
プラント条件を指定する方法を利用する場合、帳票条件設定部０１５は、前条件指定画面を介して指定されたプラント条件に基づいて、帳票作成期間の「開始時点」と「終了時点」を設定する。
【００７１】
「前条件指定」では、「付加条件」を指定することが可能であり、帳票条件設定部０１５は、「付加条件」が合わせて指定されている場合に、当該「付加条件」で指定されている内容を反映させて、帳票作成期間の「開始時点」と「終了時点」を設定する。
【００７２】
「前条件指定」では、帳票条件設定部０１５は、当該指定した帳票作成期間内において帳票の作成を実行する回数である「実行回数」を設定する。
【００７３】
これらの「前条件指定」が行われることで、指定された帳票作成期間内で指定された実行回数分の帳票作成を行うと言った内容が帳票作成条件として設定される。
【００７４】
帳票条件設定部０１５では、帳票を作成する際の帳票データ期間を帳票作成条件の一つとして指定する構成を有している。図１２は、当該帳票データ期間を指定するための条件指定画面の一例を示しており、オペレータは当該条件指定画面を介して帳票データ期間を指定する。図１２に示す帳票データ期間を指定するための条件指定画面では、図１１に示した前条件を指定するための条件指定画面における期間指定と同様に、「時刻指定」、「プラント条件指定」、「付加条件」などが指定できる様に構成されている。
【００７５】
「帳票期間指定」における「時刻指定」について説明する。上述の図１１の「前条件指定」では帳票を作成するタイミングを指定していた。図１２の「帳票期間指定」は作成する帳票のデータ期間を指定する。日報であれば午前二時半に実行する様な指定を「前条件指定」で行い、前日の零時〜本日の零時までのデータで帳票を作成するという指定を「帳票期間指定」で行う。
【００７６】
「帳票期間指定」の「プラント条件指定」について説明する。図１０で説明した試運転帳票を例に挙げれば、「前条件指定」の「時刻指定」で次回の定検完了の１ヶ月前〜定検完了までの期間指定を行い、「付加条件」で日中の時間帯を指定する。また、「帳票期間指定」の「プラント条件指定」で、プラント出力ＰＩＤが定格出力＋／−αの上下限値に入っている事と、プラント負荷安定ＰＩＤが「１」のＡＮＤ条件にすることにより、図１０で説明した「試運転帳票」の作成条件が全て指定された為、自動で帳票を作成することが可能となる。
【００７７】
「帳票期間指定」では、「データ周期」の指定が可能であり、帳票作成部０１９では、当該データ周期で指定された周期間隔で、「前条件指定」で指定されている実行回数分、帳票作成が実行される。
【００７８】
以上説明した様に、帳票条件設定部０１５では図１１「前条件指定」と図１２「帳票期間指定」により、各帳票を作成するタイミングと、帳票のデータ期間を指定し定義する。帳票条件設定部０１５は、「前条件指定」と「帳票期間指定」で定義した帳票作成条件を帳票条件記憶部０１６に送り、帳票条件記憶部０１６は、図１４の様な記憶形式にて帳票作成条件を記憶する。図１４では、図１１の「前条件」に関する条件指定画面と、図１２の「帳票期間」に関する条件指定画面を介してそれぞれ指定された「時刻指定種別」、「時刻指定基点」、「時刻指定相対時刻」、「時刻指定機器ＩＤ」、「開始条件種別」、「開始条件日時」、「プラント条件指定条件」、「プラント条件指定入力点」、「付加条件種別」、「付加条件期間」、及び「備考」の各設定内容が、帳票作成条件として表形式で纏められている。
【００７９】
プラント状態監視部０１７では、プラントデータ収録部０１４からプラントのプロセス値などの最新のプラントデータを定期的に読み込む。プラント状態監視部０１７は、読み込んだ内容と、先に帳票条件記憶部０１６で記憶されている各帳票の「前条件指定」と「帳票期間指定」とを比較し、条件に合致したかどうかを判断していく。条件に合致し、帳票作成と判断すると、帳票作成部０１９に対して帳票要求日時（自動）信号を送り帳票の自動作成要求を行う。
【００８０】
帳票の自動作成のタイミングを図１５に示す。帳票データ開始時刻をｔ１、終了時刻をｔ２とすると、終了時刻ｔ２に到達した時点で帳票の自動作成が可能となる。即ちｔ２が帳票の自動作成のタイミングである。これは、プロセスデータがプラントデータ収録部０１４で常時収録されているため、帳票作成部０１９が、帳票データ終了時刻のタイミングで帳票期間中のデータをプラントデータ収録部０１４から取り込み、帳票を作成するためである。
【００８１】
プラント状態監視部０１７では、この帳票自動作成のタイミングの判断を図１６のフローチャートに示す処理に従って行い、終了条件に合致するまで監視を継続する。以下、プラント状態監視部０１７における処理の流れについて図１６を参照して説明する。
【００８２】
プラント状態監視部０１７は、帳票条件記憶部０１６に記憶されている帳票作成条件のうち、前条件を読み出して前条件の内容を調査する（ステップＳ１０１）。プラント状態監視部０１７は、プラントデータ収録部０１４より最新のプラントデータを読み出し、現在の状況がステップＳ１０１で確認した前条件に合致しているかを判断する（ステップＳ１０２）。すなわち、現在の時刻が、前条件で設定されている帳票作成期間内であるかを判断する。当該判断は、前条件として設定されている条件種別に応じて、比較すべき情報となるプラントデータを抽出することで行われる。前条件に合致していない場合は、帳票を自動作成した回数である実行回数をクリアしてステップＳ１１３に進む（ステップＳ１０３）。
【００８３】
ステップＳ１０２における判断の結果、前条件に合致している場合に、プラント状態監視部０１７は、帳票条件記憶部０１６に記憶されている帳票期間指定条件を読み出して調査を行う（ステップＳ１０４）。
【００８４】
プラント状態監視部０１７は、帳票期間指定条件の中の開始条件に既に合致していると判断されているか、すなわち開始条件に合致済みであるかについて判断する（ステップＳ１０５）。合致済みではない場合は、現在の状況が開始条件に合致しているかを判断する（ステップＳ１０６）。合致していない場合は、ステップＳ１１３に進む。一方、合致している場合は、開始条件について合致済みであることを示すフラグをセットし（ステップＳ１０７）、ステップＳ１１３に進む。
【００８５】
ステップＳ１０５の判断において、開始条件に合致済みであると判断された場合、プラント状態監視部０１７は、現在の状況が終了条件に合致しているかを判断する（ステップＳ１０８）。合致していない場合は、ステップＳ１１３に進む。一方、合致している場合は、この帳票についてステップＳ１０７で既にセットしている開始条件合致済みフラグをリセットする（ステップＳ１０９）。
【００８６】
次に、プラント状態監視部０１７は、これまでの帳票作成要求の実行回数が予め前条件指定で設定されている実行回数以下であるかを判断する（ステップＳ１１０）。実行回数を超えている場合は、予め指定された回数の帳票作成が既に実行されているとしてステップＳ１１３に進む。一方、実行回数以下である場合は、現在のタイミングが帳票の作成タイミングであるとして、帳票作成要求を実行する（ステップＳ１１１）。具体的には、プラント状態監視部０１７は、帳票作成部０１９に対して、作成する帳票のデータ日時を含む帳票作成要求を自動的に送信し、帳票作成部０１９における帳票の自動作成を促す。帳票作成部０１９は、当該帳票要求日時で示されるデータ期間について帳票を作成する。
【００８７】
次に、プラント状態監視部０１７は、この帳票について自動作成を実行した実行回数を加算して保持しておく（ステップＳ１１２）。次に、帳票条件記憶部０１６に記憶されている全ての帳票作成条件についての確認が完了したかを判断する（ステップＳ１１３）。確認が終わっていない帳票作成条件が残っている場合は、ステップＳ１０１に戻り、この確認が終わっていない帳票作成条件に対して同様の処理を行う。
【００８８】
このように、プラント状態監視部０１７は、現在の時刻がこの帳票自動作成のタイミングであると判断した場合は、帳票作成部０１９に対して帳票作成要求（自動）信号として、図１５に示すｔ１とｔ２である開始時刻と終了時刻を帳票作成部０１９に送信し、帳票の自動作成を促す。帳票作成部０１９は、プラント状態監視部０１７から入力した帳票作成要求信号に基づいて帳票を作成し、作成された帳票が帳票出力部０２１より出力される。
【００８９】
（第１実施形態の効果）
従来技術における帳票の自動作成は日次、月次などの定刻処理のものしかできず、プラントの条件により帳票の自動作成タイミングが変動するものについては、オペレータがタイミングを調査して決めたり、タイミングが発生するのを待機していたりしていたが、本実施形態によれば、これらについても自動的に帳票作成することが可能となる。具体的な帳票で説明する。
【００９０】
発電プラント近隣に「光化学オキシダント注意報」が発令された場合、発電プラントからの窒素酸化物（Ｎｏｘ）を抑制する必要があり、図１７はその実績報告の帳票である。注意報の発令は発電プラントに接点として送られてくる事から、発令（接点ＯＮ）〜発令解除（接点ＯＦＦ）までを帳票の「帳票期間指定」することにより、自動的にタイミングを捉えデータ当該期間のデータを集計し帳票を作成することができ、オペレータの負担軽減の効果がある。
【００９１】
また、別の例として、発電プラントでは送電系統の事故から、一旦系統から切り離し所内単独運転とするＦＣＢ（First Cut Back）運転となる場合がある。系統事故復旧後速やかに系統につなげ発電する必要がある。図１８は、その緊急の際に、発電プラントを系統に再接続して良い状態かをチェックする帳票である。本実施形態によれば、「前条件指定」でＦＣＢ発生の接点を設定し、「帳票期間指定」でＦＣＢ発生後１０分経過時点を設定することにより、ＦＣＢ後のプラント状態を自動的に帳票作成し、オペレータに提示して系統への再接続に問題がない状態かをチェックすることができる。このような帳票作成条件を指定しておくことで、ＦＣＢ事故の緊急時に対話画面から膨大な帳票からオペレータが探して要求掛ける必要も無く、オペレータの負担軽減や安定運転が可能となる。
【００９２】
図１９は、定格負荷安定記録に関する帳票である。発電プラントが健全で異常がないことを定期的に点検している。１月に１回程度発電プラントが、定格負荷運転で安定している場合のデータを比較して、健全性を確認する手法がよく用いられている。本発明によれば、「前条件指定」で月の上旬を指定し、「帳票期間指定」で定格負荷と負荷安定のＰＩＤの条件を設ける事で、自動的に帳票が作成される。オペレータの負担軽減の効果に加えて、自動的に提示されるので健全性確認作業の忘れや漏れの防止の効果がある。
【００９３】
図２０は、運転時間管理の帳票である。発電プラントに設置されている機器の運転時間を記録する事は重要に業務である。各設備の補修情報も入力されている事から、「帳票期間指定」に各機器の前回交換時期以降のタイミングを指定することにより、逐一機器の交換日時をオペレータが調査する事無く自動作成することができ、オペレータの負担軽減の効果がある。
【００９４】
以上に示した様に、帳票の種類に応じて、帳票作成条件として前条件と帳票データ期間が指定され、これらの条件とプラントデータとを比較しながら、自動的に帳票作成を実行するかを判断する。当該判断に従って自動作成された帳票が、帳票出力部０２１より入出力装置２００に出力されてオペレータは表示装置で確認することができる。
【００９５】
帳票には、プラント状態によってデータ収集するものや、機器の起動・停止・トリップなどの際に作成・管理するものが多々ある。本実施形態のプラントデータ管理装置１００では、これらのプラント状態に応じて作成したりチェックする帳票やグラフを、プラント状態に応じて自動的に作成・表示したりすることが可能となるため、オペレータの負担軽減、安定運転、漏れ防止などの効果をもたらすことができる。
【００９６】
[第２実施形態]
（第２実施形態の構成）
図２１を用いて第２実施形態を説明する。本実施形態は、第１実施形態の構成に、帳票を自動的に保存する自動保存部０２２と、保存した情報を記憶しておく帳票記憶部０２３を付加したものである。
【００９７】
（第２実施形態の作用）
図２１の形態においては、第１実施形態でも説明した様に、日次や月次などのタイミング以外にもプラントの状態により自動判断して自動的に帳票が作成される。帳票作成部０１９で作成された帳票は帳票出力部０２１より入出力装置２００のプリンタや表示装置に出力され、これらの装置で印刷や表示が行われる。
【００９８】
本実施形態では、帳票作成部０１９で作成された帳票は自動的に自動保存部０２２に送られる。自動保存部０２２は、自動的に送られてくる帳票をファイルとして帳票記憶部０２３に格納することで帳票の自動保存を行う。帳票記憶部０２３は、当該帳票を記憶する。
【００９９】
自動保存部０２２は、帳票作成部０１９で作成された帳票をエクセルファイルとして保存しても良いし、当該帳票を印刷イメージに変換する処理を実行し、印刷イメージに変換されたファイルを帳票記憶部０２３に格納することで帳票の自動保存を行っても良い。帳票記憶部０２３は、これらのファイルを長期間に渡り記憶しておく。
【０１００】
（第２実施形態の効果）
プラントの状態により自動作成された帳票が、自動的に保存される事により、オペレータは保存されている帳票を表示してデータを確認するだけで良く、オペレータは日時を調査し、改めて要求するなどの負担が大きく軽減される。また、紙の資源省力化の効果も発揮される。更に、帳票条件設定部０１５の設定項目に複数回の実行が指定できる様に、条件が合致した際のプラントデータを複数回自動保存して、各々のデータ確認を行うことができる。
【０１０１】
[第３実施形態]
（第３実施形態の構成）
図２２を用いて第３実施形態を説明する。本実施形態は、第２実施形態の構成における自動保存部０２２の代わりに、保存した帳票の情報が改ざんされない様に改ざん防止処理を行う改ざん防止変換部０２４を配置して構成されている。
【０１０２】
（第３実施形態の作用）
図２２の形態においては、第１実施形態でも説明した様に、日次や月次などのタイミング以外にもプラントの状態により自動判断して自動的に帳票が作成される。帳票作成部０１９で自動的に作成された帳票は、改ざん防止変換部０２４に送られる。改ざん防止変換部０２４は、帳票作成部０１９で作成された帳票を改ざんができない形式に変換する処理を行い、返還後の帳票ファイルを保存する。例えば、改ざん防止変換部０２４は、表形式の帳票ファイルをＰＤＦ（Portable Document Format）形式に変換して保存する。ＰＤＦ形式は、エクセルファイルなど表形式と比較してデータの改ざんが困難であるため、改ざん防止機能が働く。
【０１０３】
（第３実施形態の効果）
プラントの状態により自動作成された帳票が、自動的に保存される。通常、実際に帳票の改ざんが行われる蓋然性が高い時期は保存された後であり、帳票の自動作成直後はデータ改ざんが行われていないと考えて良い。そこで、自動で帳票が作成された直後に改ざん防止形式で保存する構成とすることで、セキュリティー、データの保全、データの透明性の面から非常に有効な方式となり、プラントの健全性を維持する上で高い効果を有する。
【０１０４】
[第４実施形態]
（第４実施形態の構成）
図２３を用いて第４実施形態を説明する。本実施形態は、第３実施形態の構成に加え、所内またはネットワーク上の関係者に帳票の情報を配信する帳票配信部０２５を備える。帳票配信部０２５より配信される帳票は、ネットワークを介してそれを表示する端末である表示装置パソコン０２６ａ〜０２６ｎへ送信され、これらのパソコンで表示される。
【０１０５】
（第４実施形態の作用）
図２３の形態においては、第１実施形態でも説明した様に、プラントの状態等により自動判断して自動的に帳票が作成される。そして、帳票が作成されると同時に配信することができる。従来は人間系で要求して回覧・配布していたが、本実施形態では、帳票作成の条件が成立したと同時に、帳票作成部０１９で帳票が作成され、帳票配信部０２５が当該作成された帳票を自動的に配信する様に構成したものである。
【０１０６】
帳票作成部０１９は、帳票作成条件を満たした場合に帳票を作成し、作成した帳票を改ざん防止変換部０２４に送る。帳票配信部０２５は、改ざん防止変換部０２４で改ざん防止変換処理が行われて帳票記憶部０２３に記憶された帳票を読み出し、予め登録している表示装置パソコン０２６にネットワークを介して読み出した帳票を自動的に配信する。
【０１０７】
（第４実施形態の効果）
プラントの状態により自動作成された帳票が、自動的に配信される事から、即座に、タイムリーに配信してデータを確認できる効果がある。また、監視室や制御所などに居ない有識者にも配信され、データの確認や判定を行うことができる。
【０１０８】
なお、帳票配信部０２５は、改ざん防止変換部０２４を介さず、帳票作成部０１９より直接作成された帳票を受け取り、登録先のパソコン０２６に自動配信する構成としても良い。
【０１０９】
[第５実施形態]
（第５実施形態の構成）
図２４を用いて第５実施形態を説明する。本実施形態は、第１実施形態の構成に加え、自動的に帳票が作成された際にオペレータに対して帳票確認やデータ確認の指示を出すガイダンス表示部０２７を追加して構成される。
【０１１０】
ガイダンス表示部０２７は、帳票作成部０１９で帳票が作成された場合に、表示装置に新たな帳票が作成されたことを示す帳票確認画面を表示することで、オペレータに対して帳票の確認やデータの確認を指示する。また、例えば、ガイダンス表示部０２７は、新たに帳票が自動作成されたことを示す注意喚起音を再生することでオペレータに対して帳票の確認やデータの確認を指示する。例えば、ガイダンス表示部０２７は、「データを確認してください。」と言った帳票確認画面を表示装置に表示させることでオペレータに対する注意喚起を行う。
【０１１１】
（第５実施形態の作用）
図２４に示す第５実施形態においては、第１実施形態でも説明した様に、プラントの状態により自動判断して自動的に帳票が作成される。帳票が自動作成され、また、自動的にガイダンスで配信される事から、オペレータは自動作成された事を漏れなく、確実に知ることができる。
【０１１２】
（第５実施形態の効果）
自動作成されてもオペレータは気づかないことが懸念されるが、本実施形態によれば、自動作成と同時にオペレータにデータ確認のガイダンスを出すことから、データ確認の抜けや漏れがなくなり、確実に業務を遂行することができるようになる。
【０１１３】
[第６実施形態]
（第６実施形態の構成）
図２５を用いて第６実施形態を説明する。本実施形態は、第１実施形態の構成の帳票作成部０１９に代えて、グラフ表示や系統図表示や傾向監視など帳票と同様にデータ表示を行い、オペレータにデータ確認や健全性を確認する機能であるプラントデータ表示部０２８を配して構成される。プラントデータ表示部０２８は、グラフ表示、系統図表示、傾向監視の少なくとも１つを帳票と同様にデータ表示する。
【０１１４】
（第６実施形態の作用）
図２５の形態においては、第１実施形態で説明した帳票の場合と同様に、グラフ表示や系統図表示や傾向監視など帳票と同様にデータ表示をしてオペレータにデータ確認や健全性を確認する機能についても、プラントの状態や条件を自動的に検出して、オペレータに提示することができるものである。
【０１１５】
（第６実施形態の効果）
自動的に検出してグラフ表示や系統図表示や傾向監視などが表示される事から、監視の漏れや抜けが無くなり、プラントの安全運転や健全性の確認業務に、オペレータの負荷軽減や業務効率向上の効果を発揮する。
【０１１６】
[他の実施形態]
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１１７】
０１１…プロセス値入力部
０１２…運転情報入力部
０１３…設備情報入力部
０１４…プラントデータ収録部
０１５…帳票条件設定部
０１５ａ…条件指定画面表示部
０１５ｂ…帳票条件定義部
０１６…帳票条件記憶部
０１７…プラント状態監視部
０１８…帳票情報記憶部
０１９…帳票作成部
０２０…帳票作成要求入力部
０２１…帳票出力部
０２２…自動保存部
０２３…帳票記憶部
０２４…改ざん防止変換部
０２５…帳票配信部
０２６…パソコン
０２７…ガイダンス表示部
０２８…プラントデータ表示部
１００…プラントデータ管理装置
２００…入出力装置
【図１】
2014089569.tif 000003
【図２】
2014089569.tif 000004
【図３】
2014089569.tif 000005
【図４】
2014089569.tif 000006
【図５】
2014089569.tif 000007
【図６】
2014089569.tif 000008
【図７】
2014089569.tif 000009
【図８】
2014089569.tif 000010
【図９】
2014089569.tif 000011
【図１０】
2014089569.tif 000012
【図１１】
2014089569.tif 000013
【図１２】
2014089569.tif 000014
【図１３】
2014089569.tif 000015
【図１４】
2014089569.tif 000016
【図１５】
2014089569.tif 000017
【図１６】
2014089569.tif 000018
【図１７】
2014089569.tif 000019
【図１８】
2014089569.tif 000020
【図１９】
2014089569.tif 000021
【図２０】
2014089569.tif 000022
【図２１】
2014089569.tif 000023
【図２２】
2014089569.tif 000024
【図２３】
2014089569.tif 000025
【図２４】
2014089569.tif 000026
【図２５】
2014089569.tif 000027
【図２６】
2014089569.tif 000028